(57)【要約】【課題】インキの種類や粘度に関係なくインキ追従性に優れたボールペンチップを提供する。【解決手段】チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝の前記インキ流通孔に対して最も離間した外壁面と底壁面との接合部の角度が、１５０度以上、１８０度以下であることを特徴とする。または、前記インキ流通溝の底壁面が、円弧状面であることを特徴とする。【選択図】          図１
2006334866.tif 000002
【特許請求の範囲】
【請求項１】
チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝の前記インキ流通孔に対して最も離間した外壁面と底壁面との接合部の角度が、１５０度以上、１８０度以下であることを特徴とするボールペンチップ。
【請求項２】
前記インキ流通溝の前記インキ流通孔に対して最も離間した外壁面が、チップ先端から後端に向かって縮径する傾斜状に形成したことを特徴とする請求項１に記載のボールペンチップ。
【請求項３】
前記インキ流通溝の前記インキ流通孔に対して最も離間した外壁面と底壁面とが、接合部のない傾斜面に形成したことを特徴とする請求項２に記載のボールペンチップ。
【請求項４】
チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しないインキ流通溝を有するボールペンチップにおいて、前記インキ流通溝の底壁面が、円弧状面であることを特徴とするボールペンチップ。
【請求項５】
前記インキ流通溝の前記インキ流通孔に対して最も離間した外壁面と底壁面とが、接合部のない円弧状面であることを特徴とする請求項４に記載のボールペンチップ。
【発明の詳細な説明】
【技術分野】
【０００１】
本発明は、チップ先端のボール抱持室にボールを回転自在に抱持してなるボールペンチップに関する。
【背景技術】
【０００２】
従来から、ボール抱持室の底壁の中央に、インキ流通孔に連通するインキ流通溝を有するボールペンチップはよく知られている。こうしたボールペンチップにおいて、実開平７−３１３８２号公報「ボールペン」のように、インキ流通孔から放射状に延び、チップ後端部の内孔に達しないタイプのインキ流通溝もよく知られている。
【０００３】
こうした、インキ流通孔から放射状に延び、チップ後端部の内孔に達しないタイプのインキ流通溝を有するボールペンチップにおいて、特開平８−２０７４８２号公報「ボールペン用金属チップ」には、インキ流通孔の径とインキ流通孔の長さを一定比率とし、上向き放置後の再筆記のカスレ防止や高速筆記時のインキ追従性を向上させたボールペンチップが開示されている。
【特許文献１】「実開平７−３１３８２号公報」
【特許文献２】「特開平８−２０７４８２号公報」
【発明の開示】
【発明が解決しようとする課題】
【０００４】
ところで、インキ流通孔から放射状に延び、チップ後端部の内孔に達しないタイプのインキ流通溝は、特許文献１、２に開示されているように、横断面が略コ字状とし、縦断面は略Ｌ字状とすることが一般的である。こうしたインキ流通溝は、図８、図９に示すように、ボールペンチップ１０１のボール抱持室１０２の底壁１０３にツール１０９を当接し、押圧することよって、インキ流通孔１０５から放射状に延び、チップ後端部の内孔１０７に達しない長さＬのインキ流通溝１０６を形成している。
【０００５】
こうした、インキ流通溝１０６を形成するツール１０９は、耐久性等を考慮して、先端角を９０度にすることが一般的であるため、インキ流通溝１０６のインキ流通孔１０５に対して最も離間した外壁面１０６ａと底壁１０６ｂとの接合部Ｓ５の角度αは１３５度であり、急な勾配で形成してあった。
【０００６】
本発明者は、インキ流通溝とインキ追従性について検討した結果、インキ流通溝の縦断面における傾斜角度とインキ追従性が密接な関係にあることが解った。これは、筆記具インキがチップ後端部の内孔からインキ流通溝を連通する時に、縦断面において前記インキ流通孔に対して最も離間した外壁面と底壁面との接合部近傍で乱流を引き起こしているためと考えられる。
【０００７】
本発明の目的は、インキの種類や粘度に関係なくインキ追従性に優れたボールペンチップを提供することである。
【課題を解決するための手段】
【０００８】
本発明は、チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝の前記インキ流通孔に対して最も離間した外壁面が、チップ先端から後端に向かって縮径する傾斜状に形成するとともに、該インキ流通孔に対して最も離間した外壁面と底壁面との接合部の角度が、１５０度以上、１８０度以下であることを特徴とする。
【０００９】
また、前記インキ流通溝の前記インキ流通孔に対して最も離間した外壁面が、チップ先端から後端に向かって縮径する傾斜状に形成したことを特徴とする。
【００１０】
また、前記インキ流通溝の前記インキ流通孔に対して最も離間した外壁面と底壁面とが、接合部のない傾斜面に形成したことを特徴とする。
【００１１】
また、チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しないインキ流通溝を有するボールペンチップにおいて、前記インキ流通溝の底壁面が、円弧状面であることを特徴とする。
【００１２】
また、前記インキ流通溝の前記インキ流通孔に対して最も離間した外壁面と底壁面とが、接合部のない円弧状面であることを特徴とする。
【発明の効果】
【００１３】
インキの種類や粘度に関係なくインキ追従性に優れたボールペンチップを提供することができた。
【発明を実施するための最良の形態】
【００１４】
次に図面を参照しながら、本発明のボールペンチップ及びそれを用いたボールペンの実施例を説明するが、本発明は以下の実施例に限定されるものではない。
【実施例１】
【００１５】
図１、図２に示すボールペンチップ１は、チップ本体のボール抱持室２の底壁３にボール８を載置し、チップ先端縁４を内側にかしめることより、ボール８を回転自在に抱持してある。また、ボール抱持室２の底壁３には、チップ後端部の内孔７に連通するインキ流通孔５と、このインキ流通孔５から放射状に延び、チップ後端部の内孔７に連通しない４本の長さがＬ１のインキ流通溝６を形成してある。
【００１６】
図３に示すようにインキ流通溝６は、横断面を略コ字状とし、縦断面が略Ｌ字状となるように、ボールペンチップの底壁３にツール９を当接し、押圧（図３の矢印Ｆ方向）するよってインキ流通溝６を形成してあり、インキ流通孔５に対して最も離間した外壁面６ａと底壁面６ｂとの接合部Ｓ１の角度α１を１５０度に形成してある。
【００１７】
インキ流通溝６のインキ流通孔５に対して最も離間した外壁面６ａと底壁面６ｂとの接合部Ｓ１の角度を１５０度にすることよって、図８、図９に示す従来のボールペンチップ１０１は、インキ流通溝１０６のインキ流通孔１０５に対して最も離間した外壁面１０６ａと底壁面１０６ｂとの接合部Ｓの角度αを１３５度に比べて、角度が大きく（α＜α１）なっているので、筆記具インキがチップ後端部の内孔７からインキ流通溝６を通過する時に、接合部Ｓ１近傍で乱流を引き起こし難くなり、インキ追従性が向上する。
【実施例２】
【００１８】
図４に示す実施例２のボールペンチップ１１は、インキ流通溝１６のインキ流通孔１５に対して最も離間した外壁面１６ａが、チップ先端から後端に向かって縮径する傾斜状に形成し、インキ流通溝１６のインキ流通孔１５に対して最も離間した外壁面１６ａと底壁面１６ｂとの接合部Ｓ２の角度α２を１５０度にした以外は、実施例１と同様にして、チップ本体のボール抱持室１２の底壁１３にボール８を載置し、チップ先端縁１４を内側にかしめることより、ボール８を回転自在に抱持し、ボール抱持室２の底壁３に、チップ後端部の内孔１７に連通するインキ流通孔１５と、このインキ流通孔１５から放射状に延び、チップ後端部の内孔１７に連通しない４本の長さがＬ２のインキ流通溝１６を形成してボールペンチップ１１を得ている。
【００１９】
インキ流通溝１６のインキ流通孔１５に対して最も離間した外壁面１６ａをチップ先端から後端に向かって縮径する傾斜状に形成することによって、インキ流通溝１６のインキ流通孔１５に対して最も離間した外壁面１６ａと底壁面１６ｂとの接合部Ｓ２の角度α２を１５０度とするのに、インキ流通溝１６の長さＬ２を従来のボールペンチップ１０１のインキ流通溝１０６の長さＬ６と同じにすることができる等、インキ流通溝１６の長さの設定が容易になり、インキ流通溝１６を深く形成することなく形成できるので好ましい。
【実施例３】
【００２０】
図５に示す実施例３のボールペンチップ２１は、インキ流通溝２６のインキ流通孔２５に対して最も離間した外壁面２６ａと底壁面２６ｂとが、接合部のない傾斜面に形成した以外は、実施例１と同様にして、チップ本体のボール抱持室２２の底壁２３にボール８を載置し、チップ先端縁２４を内側にかしめることより、ボール８を回転自在に抱持し、ボール抱持室２２の底壁２３に、チップ後端部の内孔２７に連通するインキ流通孔２５と、このインキ流通孔２５から放射状に延び、チップ後端部の内孔２７に連通しない４本の長さがＬ３のインキ流通溝２６を形成してボールペンチップ２１を得ている。
【００２１】
インキ流通溝２６のインキ流通孔２５に対して最も離間した外壁面２６ａと底壁面２６ｂとが、接合部のない（角度α３＝１８０度）傾斜面に形成することで、筆記具インキがチップ後端部の内孔２７からインキ流通溝２６を通過する時に、接合部近傍で乱流が発生しないのでインキ追従性がより向上する。
【００２２】
尚、インキ流通孔に対して最も離間した外壁面と底壁面との接合部の角度は、１５０度未満では乱流の抑制効果が低くなるので、１５０度以上とする。また、１８０度であれば接合部に乱流が発生しないので最も好ましい。
【実施例４】
【００２３】
図６に示す実施例４のボールペンチップ３１は、インキ流通溝３６の底壁面３６ｂを円弧状面に形成した以外は、実施例１と同様にしてチップ本体のボール抱持室３２の底壁３３にボール８を載置し、チップ先端縁３４を内側にかしめることより、ボール８を回転自在に抱持し、ボール抱持室３２の底壁３３に、チップ後端部の内孔３７に連通するインキ流通孔３５と、このインキ流通孔３５から放射状に延び、チップ後端部の内孔３７に連通しない４本の長さがＬ４のインキ流通溝３６を形成してボールペンチップ３１を得ている。
【００２４】
インキ流通溝３６の底壁面３６ｂを円弧状面に形成することで、実施例３と同様に筆記具インキがチップ後端部の内孔３７からインキ流通溝３６を通過する時に、インキ流通溝３６のインキ流通孔３５に対して最も離間した外壁面３６ａと底壁面３６ｂとの接合部Ｓ３近傍での乱流が発生し難い。また、インキ流通溝３６の底壁面３６ｂを円弧状面にすることによって、インキ流通溝３６の長さＬ４が実施例２、３及び従来技技術と同じであってもインキ流通溝３６の体積を多くすることができるので、インキ流通溝３６を通過するインキ量が多く、インキ追従性がより向上するので好ましい。
【実施例５】
【００２５】
図７に示す実施例５のボールペンチップ４１は、インキ流通溝４６のインキ流通孔４５に対して最も離間した外壁面４６ａと底壁面４６ｂとが、接合部のない連続する円弧状面に形成した以外は、実施例１と同様にしてチップ本体のボール抱持室４２の底壁４３にボール８を載置し、チップ先端縁４４を内側にかしめることより、ボール８を回転自在に抱持し、ボール抱持室４２の底壁４３に、チップ後端部の内孔４７に連通するインキ流通孔４５と、このインキ流通孔４５から放射状に延び、チップ後端部の内孔４７に連通しない４本の長さがＬ５のインキ流通溝４６を形成してボールペンチップ４１を得ている。
【００２６】
また、インキ流通溝４６のインキ流通孔４５に対して最も離間した外壁面４６ａと底壁面４６ｂとが、接合部のない連続する円弧状面に形成することで、実施例３と同様に筆記具インキがチップ後端部の内孔４７からインキ流通溝４６を通過する時に、乱流が発生しない。また、円弧状面にすることによって、実施例４と同様に、インキ流通溝４６の長さＬ５が実施例２、３及び従来技技術と同じであってもインキ流通溝４６の体積を多くすることができるので、インキ流通溝４６を通過するインキ量が多く、インキ追従性が極めて良好となるので好ましい。
【００２７】
尚、インキ流通溝４６のインキ流通孔４５に対して最も離間した外壁面４６ａと底壁面４６ｂとが、接合部のない連続する円弧状面は、同一の円弧でもよいし、異なる円弧が連続した構造であってもよい。
【００２８】
本実施例では、便宜上、ボール座を形成しない構造としてあるが、ボール抱持室の底壁にボール座を形成してあってもよい。また、インキ流通孔から放射状に延び、前記チップ後端部の内孔に達しないインキ流通溝であれば、形状や数も特に限定されるものではない。
【産業上の利用可能性】
【００２９】
油性インキ、剪断減粘性インキ、水性インキ等、インキの種類やインキ粘度に限定されることなく実施可能であり、筆記時に紙面に多く吐出する剪断減粘性インキや低粘度の油性インキに特に効果的に用いることができる。
【図面の簡単な説明】
【００３０】
【図１】実施例１のボールペンチップを示す一部省略した縦断面図である。
【図２】図１における一部省略したＡ−Ａ断面図である。
【図３】図１におけるインキ流通溝を形成する前の状態を示す図である。
【図４】実施例２のボールペンチップを示す一部省略した縦断面図である。
【図５】実施例３のボールペンチップを示す一部省略した縦断面図である。
【図６】実施例４のボールペンチップを示す一部省略した縦断面図である。
【図７】実施例５のボールペンチップを示す一部省略した縦断面図である。
【図８】従来のボールペンチップにおける一部省略した要部拡大断面図である。
【図９】図８におけるインキ流通溝を形成する前の状態を示す図である。
【符号の説明】
【００３１】
１、１１、２１、３１、４１、１０１  ボールペンチップ
２、１２、２２、３２、４２、１０２  ボール抱持室
３、１３、２３、３３、４３、１０３  底壁
５、１５、２５、３５、４５、１０５  インキ流通孔
６、１６、２６、３６、４６、１０６  インキ流通溝
６ａ、１６ａ、２６ａ、３６ａ、４６ａ、１０６ａ  外壁面
６ｂ、１６ｂ、２６ｂ、３６ｂ、４６ｂ、１０６ｂ  底壁面
７、２７、３７、１０７  チップ後端部の内孔
８  ボール
９、１０９  ツール
Ｓ、Ｓ１、Ｓ２、Ｓ３  接合部
α、α１、α２、α３、  接合部の角度
【図１】
2006334866.tif 000003
【図２】
2006334866.tif 000004
【図３】
2006334866.tif 000005
【図４】
2006334866.tif 000006
【図５】
2006334866.tif 000007
【図６】
2006334866.tif 000008
【図７】
2006334866.tif 000009
【図８】
2006334866.tif 000010
【図９】
2006334866.tif 000011